(57)【要約】【課題】プラ段ケースの全面へのインクジェットプリンターによるイメージ表現が可能であるプラ段ケース並びにその製造方法及び装置を明らかにする。【解決手段】（１）インクジェット方式によるカラー印刷を施した合成樹脂製シートを粘着剤ないし接着剤によりプラスチックス製段ボールの表面に貼付した後、ケース外形に沿った裁断及び折り目の形成を行う、（２）ケース外形に沿った裁断を行う裁断刃、回転刃及び／又は上下動刃に対する粘着剤ないし接着剤の拭取り及び／又は粘着剤ないし接着剤の付着防止剤の塗布を行うことを特徴とする、プラスチックス製段ボールケースの製造方法である。【選択図】　　　図１
2004106462.tif 000002
【特許請求の範囲】
【請求項１】
インクジェット方式によるカラー印刷を施した合成樹脂製シートを粘着剤ないし接着剤によりプラスチックス製段ボールの表面に貼付した後、ケース外形に沿った裁断及び折り目の形成を行うプラスチックス製段ボールケースの製造方法。
【請求項２】
ケース外形に沿った裁断を行う裁断刃、回転刃及び／又は上下動刃に対する粘着剤ないし接着剤の拭取り及び／又は粘着剤ないし接着剤の付着防止剤の塗布を行うことを特徴とする請求項１に記載のプラスチックス製段ボールケースの製造方法。
【請求項３】
インクジェット方式によるカラー印刷を施した合成樹脂製シートを粘着剤ないし接着剤によりプラスチックス製段ボールの表面に貼付し、ケース外形に沿った裁断及び折り目の形成を行う構成を有するプラスチックス製段ボールケースの製造装置。
【請求項４】
ケース外形に沿った裁断を行う裁断刃、回転刃及び／又は上下動刃を有し、該裁断刃、回転刃及び／又は上下動刃の拭取手段及び／又は付着防止剤塗布手段を有することを特徴とする請求項３に記載のプラスチックス製段ボールケースの製造装置。
【請求項５】
貼着前にインクジェット方式によるカラー印刷を施した合成樹脂製シートが粘着剤ないし接着剤層を介してプラスチックス製段ボールの表面に貼着されていることを特徴とするプラスチックス製段ボールケース。
【発明の詳細な説明】
【０００１】
【発明の属する技術分野】
本発明は、プラスチックス製段ボール（本明細書において、プラ段と略称する。）で形成するケース（箱）並びにその製造方法及び装置に関する。
【０００２】
【従来の技術】
プラ段を構成するにはポリプロピレン、ポリエチレン、ポリカーボネートなどのプラスチックス素材が利用されるが、これら素材へ直接的に印刷することは難しく、特に、インクジェット方式のプリンターでは、黒単色は可能であるが、カラープリントは困難である。このため、プラ段の表面を写真、文字、デザインなどで装飾するには印刷シートを貼付して行っている。
【０００３】
プラ段により各種のケース（箱）を構成することは、広く行われており（特許文献１及び特許文献２参照）、プラ段の表面への印刷適性に関し、特に、プラ段の表面へ直接に印刷を行うことに困難性のあることも知られている（特許文献３参照）。
【０００４】
【特許文献１】特開平７−１４８８６７号公報
【特許文献２】特開平６−３２３４６号公報
【特許文献３】実公平６−４７７７４号公報
【０００５】
【発明が解決しようとする課題】
上記したように、プラ段の表面を写真、文字、デザインなどでカラー装飾するには印刷シートを貼付して行っているが、プラ段の全表面をカラー装飾しようとすると、平面状のプラ段の表面（全面）に大判の印刷シートを貼付した上で、ケース外形に従った断裁と折り目の印刻が必要であるが、印刷シートの粘着剤ないし接着剤が裁断刃の断裁能力に悪影響を与えるために、プラ段ケースの６面全域に１枚の連続した印刷シートを貼付する方式は、採用し難い。このため、印刷シートを貼付する方式は、６面毎に分割された印刷シート（プラ段の各面の面積より小さい）を貼付する方式とせざるを得ないのが現状である。
【０００６】
インクジェット方式のプリンターは、写真、文字、デザインをカラー表示するのに非常に適しているが、プラ段表面への直接的なプリントには印刷性能の点から困難性がある。紙製段ボールの表面へのインクジェット方式のプリンターによるプリントが容易であるのと比較し、プラ段の一つの弱点となっている。
【０００７】
プラ段ケースの６面に、各面の面積よりも小さな面積の印刷シートを貼り付ける手法は既に採用されている。然しながら、この手法は、収納物（商品）の種類によっては採用することに何らの問題はないが、収納物（商品）がイメージ（画像）表現を重視するものである場合には、不十分な手法といわざるを得ない。
【０００８】
ここにおいて、紙製段ボールに対するプラ段の優位性と、インクジェット方式のプリンターの優位性（特に、イメージ表現の高い自由度）をどのように組み合わせるかが、課題となる。
【０００９】
上記課題は、最終的には、プラ段表面への直接的なインクジェットプリントを可能にするカラーインクやプリンターの改良に向かわざるを得ないとしても、それではインクやプリンターの改良を座して待つだけであり、反面、新しいカラーインクやプリンターの改良は新たな設備投資の負荷を伴うものである。
【００１０】
本発明は、上記に鑑み、プラ段ケースの全面へのインクジェットプリンターによるイメージ表現が可能であるプラ段ケース並びにその製造方法及び装置を明らかにすることを課題とするものである。
【００１１】
【課題を解決するための手段】
上記課題を解決する本発明は、下記構成を有する。
１．インクジェット方式によるカラー印刷を施した合成樹脂製シートを粘着剤ないし接着剤によりプラ段の表面に貼付した後、ケース外形に沿った裁断及び折り目の形成を行うプラ段ケースの製造方法。
【００１２】
２．ケース外形に沿った裁断を行う裁断刃、回転刃及び／又は上下動刃に対する粘着剤ないし接着剤の拭取り及び／又は粘着剤ないし接着剤の付着防止剤の塗布を行うことを特徴とする前記１に記載のプラ段ケースの製造方法。
【００１３】
３．インクジェット方式によるカラー印刷を施した合成樹脂製シートを粘着剤ないし接着剤によりプラ段の表面に貼付し、ケース外形に沿った裁断及び折り目の形成を行う構成を有するプラ段ケースの製造装置。
【００１４】
４．ケース外形に沿った裁断を行う裁断刃、回転刃及び／又は上下動刃を有し、該裁断刃、回転刃及び／又は上下動刃の拭取手段及び／又は付着防止剤塗布手段を有することを特徴とする前記３に記載のプラ段ケースの製造装置。
【００１５】
５．貼着前にインクジェット方式によるカラー印刷を施した合成樹脂製シートが粘着剤ないし接着剤層を介してプラスチックス製段ボールの表面に貼着されていることを特徴とするプラスチックス製段ボールケース。
【００１６】
【発明の実施の形態】
図１に従って、本発明に係るプラ段ケース及びその製造法に付いて概略説明する。
【００１７】
パソコン１０には、インクジェットプリンター２０により印刷シート３０の上に印刷表示する領域が、１点鎖線で示されている裁断線表示３１と２点鎖線で示される外装表示領域３２としてパターンが記録されている。オペレータはパソコン１０を操作して、印刷シート３０の、主として外装表示領域３１内に文字や写真画像などを組み合わせて外装画像を作成して、インクジェットプリンター２０により出力させ、印刷シート３０の上に外装表示を印刷する。このとき、裁断線表示３１は必ずしも印刷表示しなくともよいが、製品検査のためには表示した方が好ましい。後に説明するように、裁断・刻印装置５０により、裁断線表示３１の線に沿ってプラ段４０が裁断されるが、裁断線表示３１と実際の裁断線が不一致の場合には、裁断不良と一目で判断できるからである。
【００１８】
インクジェットプリンター２０により外装表示が印刷された印刷シート３０は、プラ段４０の表面に、所定の位置関係で貼付され、断裁・刻印装置５０による裁断線表示３１に沿った裁断と、折り目線３３に沿った折り目の印刻が行われて、半製品６０が得られる。半製品６０は、本体部分及び糊代ないし重ね代を折り目線３３に沿って折り、組み立てれば製品としてのプラ段ケースとなる。
【００１９】
印刷シート３０は、図２のＡに示すように、裏面側に粘着剤層ないし接着剤層３４が形成されており、剥離紙３５で覆われているものを利用する（但し、貼着剤層ないし接着剤層が点の配列である様な場合、剥離紙３５は必要ではない。）。印刷シート３０の素材としては、各種の合成樹脂製シートが利用されるが、インクジェットプリンター２０による多色印刷が可能なものであれば制限がない。
【００２０】
粘着剤ないし接着剤としては、公知のいずれのものが使用されてもよく、印刷シート３０とプラ段４０の素材の種類により各種のものが選択的に利用され、特に制約はない。
【００２１】
然しながら、一般的に利用されているインクジェット用紙では、後に行われる裁断工程での裁断刃の性能に重要な影響を与える場合がある。即ち、裁断が、回転刃を用いる方式、上下に連続的に運動させる上下動刃を用いる方式、断裁刃が一度に下降するプレス方式などの何れの方式によって行われる場合でも、粘着剤ないし接着剤が裁断刃に付着し易く、裁断刃の裁断性能が著しく低下する。例えば、付着した粘着剤ないし接着剤により、裁断刃とプラ段４０或いは印刷シート３０が粘着してしまい、裁断刃の駆動に大きな負荷が掛かったり、或いは、印刷シート３０が裁断刃に付着して引き裂かれるなどの事態も発生することがある。
【００２２】
本発明に係る断裁・刻印装置５０には、上記した粘着剤ないし接着剤による弊害を防止するための手段が設けられている。
【００２３】
図３のＡに示す実施態様では、上下動する裁断刃５１の運動系内に、１対の拭取手段６０を配置する。この実施態様の拭取手段６０は、各種の布地や不織布或いはフェルトで構成される拭取用部材６１、これを収納するハウジング６２、裁断刃５１の方向に押圧するバネなどの押圧手段６３で構成されている。
【００２４】
上記の実施態様には、拭取用部材６１には、裁断刃５１の表面に付着した粘着剤ないし接着剤を溶融する性質を持つ化学剤を含浸させる構成が包含される。
【００２５】
図３のＢに示す実施態様は、拭取手段６０と共に、粘着剤ないし接着剤が裁断刃５１に付着するのを防止する付着防止剤塗布手段７０を別々に配設する構成である。付着防止剤としては、フッ素系やシリコン系の各種の樹脂ないしオイルが利用でき、粘着剤ないし接着剤自体が裁断刃５１に付着するするのを防止する性質を持つものの外、裁断刃５１に付着した粘着剤ないし接着剤を溶融する性質を持つ化学剤を包含する。
【００２６】
図４は、図１に示した折り目線３３を形成する手段の１例を示すもので、この態様では、平面基台上に印刻用雄型８０を敷設しておき、所定の位置に印刷シート３０の配設を行ってから、印刻用雌型８１を下降させて行う。尚、印刻用雄型８０による印刻が、プラ段４０の下側の表面材だけを変形させる態様の場合には、印刻用雌型８１の側の凹部は不要である。
【００２７】
図５に示す実施態様を説明する。この態様は、上下動する裁断刃５１に代えて回転刃５２を利用する場合に適用し、回転刃５２に付着した粘着剤ないし接着剤の拭き取りを行う拭取手段６０と、回転刃５２への粘着剤ないし接着剤の付着を防止する付着防止剤塗布手段７０とが配設される。
【００２８】
拭取手段６０としては、図３のＡに示したような布地や不織布或いはフェルトによる拭取用部材６１のほか、スクレーパ（剥離刃）を利用する態様が包含される。また、付着防止剤塗布手段７０としては、例えば、ハウジング内に付着防止剤を案内供給し、これを塗布部を介して回転刃５２に転写する構成が採用される。
【００２９】
拭取手段６０及び付着防止剤塗布手段７０は、回転刃５２の、プラ段への食い込み位置Ｌ−Ｌよりも上方のエリアａ及びエリアｂに配設すると共に、回転刃５２が裁断駆動時にだけ回転刃５２に接触し、停止時には離間する態様と、これとは逆に、回転刃５２がプラ段の位置まで下降する裁断駆動時には回転刃５２から離間し、回転刃５２が上方に逃げ動作を行った際に回転刃５２に接触する態様とがある。
【００３０】
図６に示す実施態様を説明する。この実施態様は、図示しない平面状のフレームに固着されて配設される上下動刃５３に対する拭取手段６０の１例である。図面は、コーナー部への配設例を示しており、上下動刃５３の上下動運動に同期させて拭取用部材６１を水平運動させる構成である。具体的には、上下動刃５３が下降して裁断を行ってから上昇する際に、１対の拭取用部材６１が上下動刃５３を挟み付ける方向に作動し、上下動刃５３が上方に抜けた時点で、開放方向に復帰する構成である。
【００３１】
上下動刃５３がプラ段４０に対して水平方向或いは垂直方向に配列される部分では、拭取手段６０は、仮想線で示すように、上下動刃５３の配列方向と直角方向に作動するように配列する。
【００３２】
上記の実施態様は、水平方向に作動する１対の拭取手段６０を、上下動刃５３の配列方向に対応させて分割して配設する点に特徴がある。このように構成することによって、殊に、傾斜角度が区々である糊代ないし重ね代部分の外形（断裁線）を自由に設定することが可能となる。
【００３３】
上記実施態様は、図３に示した実施態様や図５に示した実施態様のように、拭取手段６０と共に、付着防止剤塗布手段７０を備えている構成を包含する。
【００３４】
【発明の効果】
請求項１及び５の本発明によれば、フルカラーによる美麗な段プラ製ケースを、インクジェットプリンターを利用することによって提供することが可能であり、特に請求項２及び４に示す発明によれば、プラ段の裁断時に、印刷シートの貼付に利用されている粘着剤ないし接着剤が裁断刃に付着して裁断機能を低下することを防止することができるので、頭記したプラ段表面の印刷性能に起因する制約や、プラ段表面への直接的プリントを可能とするインクジェットプリンターの機能・性能に起因する制約を解消することができ、プラ段ケースの更なる需要の拡大に効果がある。
【図面の簡単な説明】
【図１】本発明の方法によるプラ段ケースの製造工程を示す概念図
【図２】本発明が適用されるプラ段と印刷シートの断面図
【図３】本発明の１実施例を示す要部断面図
【図４】折り目の形成工程を示す要部断面図
【図５】本発明の他の実施例を示す要部斜視図
【図６】本発明の更に他の実施例を示す要部斜視図
【符号の説明】
１０−パソコン
２０−インクジェットプリンター
３０−印刷シート
３１−裁断線表示
３２−外装表示領域
３３−折り目線（印刻）
４０−プラ段
５０−裁断・刻印装置
５１−裁断刃
５２−回転刃
５３−上下動刃
６０−拭取手段
６１−拭取用部材
６２−ハウジング
６３−押圧手段
７０−付着防止剤塗布手段
８０−印刻用雄型
８１−印刻用雌型
【図１】
2004106462.tif 000003
【図２】
2004106462.tif 000004
【図３】
2004106462.tif 000005
【図４】
2004106462.tif 000006
【図５】
2004106462.tif 000007
【図６】
2004106462.tif 000008